(57)【要約】【課題】ある収納投出部で障害が発生しても、使用停止状態となることなく、継続使用できる硬貨入出金機11を提供する。【解決手段】複数の収納投出部22〜27のうち、収納投出部22〜25には収納する硬貨の金種を割り当て、収納投出部26，27には金種を割り当てない。収納投出部22〜25のうちの１つに障害が発生した場合、その障害該当金種の割り当てを障害が発生した収納投出部から金種を割り当てていない収納投出部26，27のうちの１つに変更する。【選択図】図１
2010181918.tif 000002
【特許請求の範囲】
【請求項１】
入出金する硬貨を搬送する搬送部と、
この搬送部で搬送する硬貨を識別する識別部と、
収納する硬貨の金種が割り当てられ、前記搬送部から該当金種の硬貨を受け入れて収納するとともに、収納した硬貨を前記搬送部に投出可能とする複数の収納投出部と、
この収納投出部に障害が発生したことを検知する障害検知部と、
この障害検知部によってある金種の収納投出部で障害の発生したことを検知した場合、その障害該当金種の割り当てを障害が発生した収納投出部から別の収納投出部に変更する制御部と
を具備していることを特徴とする硬貨入出金機。
【請求項２】
前記複数の収納投出部の数が割り当てる金種の数より多く、少なくとも１つの収納投出部には金種が割り当てられておらず、
前記制御部は、ある金種の収納投出部で障害が発生した場合、その障害該当金種の割り当てを障害が発生した収納投出部から前記金種が割り当てられていない収納投出部に変更する
ことを特徴とする請求項１に記載の硬貨入出金機。
【請求項３】
複数金種の硬貨を一括収納可能とする一括収納部を具備し、
前記制御部は、ある金種の収納投出部で障害が発生した場合、使用頻度の少ない金種の収納投出部に収納されている硬貨を前記一括収納部に収納させてその収納投出部を空状態とし、障害該当金種の割り当てを障害が発生した収納投出部から前記空状態とした収納投出部に変更する
ことを特徴とする請求項１に記載の硬貨入出金機。
【請求項４】
前記制御部は、ある金種の収納投出部で障害が発生した場合、その障害該当金種の割り当てを障害が発生した収納投出部から既に別の金種が割り当てられている収納投出部に追加し、その収納投出部に複数金種の硬貨を混合収納させる
ことを特徴とする請求項１に記載の硬貨入出金機。
【請求項５】
外部に報知する報知部を具備し、
前記制御部は、ある金種の収納投出部で障害が発生した場合、障害該当金種の硬貨の補充が必要であることを前記報知部で報知させる
ことを特徴とする請求項１に記載の硬貨入出金機。
【請求項６】
複数金種の硬貨を一括収納可能とするとともに一括収納した硬貨を繰り出して前記搬送部に送り込み可能とする一括収納部を具備し、
前記制御部は、ある金種の収納投出部で障害が発生した場合、前記一括収納部から硬貨を繰り出して前記搬送部に送り込み、前記搬送部で搬送する硬貨のうち障害該当金種の硬貨をその障害該当金種を割り当てた収納投出部に補充させる
ことを特徴とする請求項１に記載の硬貨入出金機。
【請求項７】
前記制御部は、出金する金種の硬貨が収納されている収納投出部で障害が発生した場合、他の金種の硬貨で代替出金可能であれば、他の金種の収納投出部から硬貨を投出させる
ことを特徴とする請求項１に記載の硬貨入出金機。
【請求項８】
入金する硬貨を受け入れるとともに繰り出す繰出部と、
この繰出部から繰り出された硬貨を搬送する搬送部と、
この搬送部で搬送する硬貨を識別する識別部と、
この識別部で識別した硬貨を前記搬送部から受け入れて一時保留するとともに、一時保留した硬貨を前記搬送部に繰出可能とする一時保留部と、
収納する硬貨の金種が割り当てられ、前記一時保留部から前記搬送部に繰り出された硬貨のうち該当金種の硬貨を受け入れて収納するとともに、収納した硬貨を前記搬送部に投出可能とする複数の収納投出部と、
この収納投出部に障害が発生したことを検知する障害検知部と、
前記一時保留部に一時保留された硬貨を前記収納投出部に収納させる際に、前記障害検知部によってある金種の収納投出部で障害の発生したことを検知した場合、その障害該当金種の割り当てを前記繰出部に変更する制御部と
を具備していることを特徴とする硬貨入出金機。
【請求項９】
入出金する硬貨を搬送する搬送部と、
この搬送部で搬送する硬貨を識別する識別部と、
収納する硬貨の金種が割り当てられ、前記搬送部から該当金種の硬貨を受け入れて収納するとともに、収納した硬貨を前記搬送部に投出可能とする複数の収納投出部と、
複数金種の硬貨を一括収納可能とするとともに前記搬送部に繰り出し可能とする一括収納部と、
前記収納投出部に障害が発生したことを検知する障害検知部と、
この障害検知部によってある金種の収納投出部で障害の発生したことを検知した場合、その障害該当金種の割り当てを障害が発生した収納投出部から前記一括収納部に変更する制御部と
を具備していることを特徴とする硬貨入出金機。
【発明の詳細な説明】
【技術分野】
【０００１】
本発明は、硬貨を入出金する硬貨入出金機に関する。
【背景技術】
【０００２】
従来、硬貨入出金機としては、銀行などの金融機関に設置され、入金硬貨を出金硬貨に循環使用する硬貨入出金機がある。
【０００３】
この硬貨入出金機では、予め硬貨をそれぞれ収納する金種別の収納投出部と、入金時の各金種の硬貨を一括して収納するか、予め補充用として各金種の硬貨を混合して収納する一括収納部を備えている。
【０００４】
出金処理時においては、出金する金種の収納投出部から硬貨をそれぞれ投出して出金処理を行うが、収納投出部から投出する硬貨が不足した場合、または、出金する金種の収納投出部からの硬貨の投出に障害が発生した場合には、一括収納部から硬貨を繰り出し、この一括収納部から繰り出された硬貨を識別部にて金種識別し、代替出金可能な金種の硬貨のみを出金し、出金処理を終了させている（例えば、特許文献１参照。）。
【先行技術文献】
【特許文献】
【０００５】
【特許文献１】特公平６−３８２８０号公報（第７頁、第１図）
【発明の概要】
【発明が解決しようとする課題】
【０００６】
上述のように、従来の硬貨入出金機では、出金処理中に、収納投出部で障害が発生した場合、代替出金により出金処理を終了することができるが、出金処理の終了後には、即時に使用停止となってしまう。そのため、障害復旧作業によって障害が復旧するまでの間、硬貨入出金機が使用停止状態となってしまう。
【０００７】
また、部品交換を必要とする障害であると、直ぐに復旧できないため、部品交換が手配できるまでの長い期間、硬貨入出金機が使用停止状態となってしまう問題がある。
【０００８】
本発明は、このような点に鑑みなされたもので、ある収納投出部で障害が発生しても、使用停止状態となることなく、継続使用できる硬貨入出金機を提供することを目的とする。
【課題を解決するための手段】
【０００９】
請求項１記載の硬貨入出金機は、入出金する硬貨を搬送する搬送部と、この搬送部で搬送する硬貨を識別する識別部と、収納する硬貨の金種が割り当てられ、前記搬送部から該当金種の硬貨を受け入れて収納するとともに、収納した硬貨を前記搬送部に投出可能とする複数の収納投出部と、この収納投出部に障害が発生したことを検知する障害検知部と、この障害検知部によってある金種の収納投出部で障害の発生したことを検知した場合、その障害該当金種の割り当てを障害が発生した収納投出部から別の収納投出部に変更する制御部とを具備しているものである。
【００１０】
請求項２記載の硬貨入出金機は、請求項１記載の硬貨入出金機において、前記複数の収納投出部の数が割り当てる金種の数より多く、少なくとも１つの収納投出部には金種が割り当てられておらず、前記制御部は、ある金種の収納投出部で障害が発生した場合、その障害該当金種の割り当てを障害が発生した収納投出部から前記金種が割り当てられていない収納投出部に変更するものである。
【００１１】
請求項３記載の硬貨入出金機は、請求項１記載の硬貨入出金機において、複数金種の硬貨を一括収納する一括収納部を具備し、前記制御部は、ある金種の収納投出部で障害が発生した場合、使用頻度の少ない金種の収納投出部に収納されている硬貨を前記一括収納部に収納させてその収納投出部を空状態とし、障害該当金種の割り当てを障害が発生した収納投出部から前記空状態とした収納投出部に変更するものである。
【００１２】
請求項４記載の硬貨入出金機は、請求項１記載の硬貨入出金機において、前記制御部は、ある金種の収納投出部で障害が発生した場合、その障害該当金種の割り当てを障害が発生した収納投出部から既に別の金種が割り当てられている収納投出部に追加し、その収納投出部に複数金種の硬貨を混合収納させるものである。
【００１３】
請求項５記載の硬貨入出金機は、請求項１記載の硬貨入出金機において、外部に報知する報知部を具備し、前記制御部は、ある金種の収納投出部で障害が発生した場合、障害該当金種の硬貨の補充が必要であることを前記報知部で報知させるものである。
【００１４】
請求項６記載の硬貨入出金機は、請求項１記載の硬貨入出金機において、複数金種の硬貨を一括収納可能とするとともに一括収納した硬貨を繰り出して前記搬送部に送り込み可能とする一括収納部を具備し、前記制御部は、ある金種の収納投出部で障害が発生した場合、前記一括収納部から硬貨を繰り出して前記搬送部に送り込み、前記搬送部で搬送する硬貨のうち障害該当金種の硬貨をその障害該当金種を割り当てた収納投出部に補充させるものである。
【００１５】
請求項７記載の硬貨入出金機は、請求項１記載の硬貨入出金機において、前記制御部は、出金する金種の硬貨が収納されている収納投出部で障害が発生した場合、他の金種の硬貨で代替出金可能であれば、他の金種の収納投出部から硬貨を投出させるものである。
【００１６】
請求項８記載の硬貨入出金機は、入金する硬貨を受け入れるとともに繰り出す繰出部と、この繰出部から繰り出された硬貨を搬送する搬送部と、この搬送部で搬送する硬貨を識別する識別部と、この識別部で識別した硬貨を前記搬送部から受け入れて一時保留するとともに、一時保留した硬貨を前記搬送部に繰出可能とする一時保留部と、収納する硬貨の金種が割り当てられ、前記一時保留部から前記搬送部に繰り出された硬貨のうち該当金種の硬貨を受け入れて収納するとともに、収納した硬貨を前記搬送部に投出可能とする複数の収納投出部と、この収納投出部に障害が発生したことを検知する障害検知部と、前記一時保留部に一時保留された硬貨を前記収納投出部に収納させる際に、前記障害検知部によってある金種の収納投出部で障害の発生したことを検知した場合、その障害該当金種の割り当てを前記繰出部に変更する制御部とを具備しているものである。
【００１７】
請求項９記載の硬貨入出金機は、入出金する硬貨を搬送する搬送部と、この搬送部で搬送する硬貨を識別する識別部と、収納する硬貨の金種が割り当てられ、前記搬送部から該当金種の硬貨を受け入れて収納するとともに、収納した硬貨を前記搬送部に投出可能とする複数の収納投出部と、複数金種の硬貨を一括収納可能とするとともに前記搬送部に繰り出し可能とする一括収納部と、前記収納投出部に障害が発生したことを検知する障害検知部と、この障害検知部によってある金種の収納投出部で障害の発生したことを検知した場合、その障害該当金種の割り当てを障害が発生した収納投出部から前記一括収納部に変更する制御部とを具備しているものである。
【発明の効果】
【００１８】
請求項１記載の硬貨入出金機によれば、ある金種の収納投出部で障害が発生した場合、その障害該当金種の割り当てを障害が発生した収納投出部から別の収納投出部に変更するため、使用停止状態となることなく、継続使用できる。
【００１９】
請求項２記載の硬貨入出金機によれば、請求項１記載の硬貨入出金機の効果に加えて、ある金種の収納投出部で障害が発生した場合、その障害該当金種の割り当てを障害が発生した収納投出部から金種が割り当てられていない収納投出部に変更するため、使用停止状態となることなく、継続使用できる。
【００２０】
請求項３記載の硬貨入出金機によれば、請求項１記載の硬貨入出金機の効果に加えて、ある金種の収納投出部で障害が発生した場合、使用頻度の少ない金種の収納投出部に収納されている硬貨を一括収納部に収納させてその収納投出部を空状態とし、障害該当金種の割り当てを障害が発生した収納投出部から空状態とした収納投出部に変更するため、使用停止状態となることなく、継続使用できる。
【００２１】
請求項４記載の硬貨入出金機によれば、請求項１記載の硬貨入出金機の効果に加えて、ある金種の収納投出部で障害が発生した場合、その障害該当金種の割り当てを障害が発生した収納投出部から既に別の金種が割り当てられている収納投出部に追加し、その収納投出部に複数金種の硬貨を混合収納させるため、使用停止状態となることなく、継続使用できる。
【００２２】
請求項５記載の硬貨入出金機によれば、請求項１記載の硬貨入出金機の効果に加えて、ある金種の収納投出部で障害が発生した場合、障害該当金種の硬貨の補充が必要であることを報知部で報知させるため、障害該当金種の硬貨の補充を促すことができる。
【００２３】
請求項６記載の硬貨入出金機によれば、請求項１記載の硬貨入出金機の効果に加えて、ある金種の収納投出部で障害が発生した場合、一括収納部から硬貨を繰り出して搬送部に送り込み、搬送部で搬送する硬貨のうち障害該当金種の硬貨をその障害該当金種を割り当てた収納投出部に補充させるため、障害該当金種の硬貨を自動的に補充することができる。
【００２４】
請求項７記載の硬貨入出金機によれば、請求項１記載の硬貨入出金機の効果に加えて、出金する金種の硬貨が収納されている収納投出部で障害が発生した場合、他の金種の硬貨で代替出金可能であれば、他の金種の収納投出部から硬貨を投出させるため、使用停止状態となることなく、継続使用できる。
【００２５】
請求項８記載の硬貨入出金機によれば、入金する硬貨を繰出部から繰り出すとともに、繰り出された硬貨を識別部で識別してから一時保留部に一時保留した後、一時保留部に一時保留された硬貨を収納投出部に収納させる際に、ある金種の収納投出部で障害が発生した場合、その障害該当金種の割り当てを繰出部に変更するため、使用停止状態となることなく、継続使用できる。
【００２６】
請求項９記載の硬貨入出金機によれば、ある金種の収納投出部で障害の発生したことを検知した場合、その障害該当金種の割り当てを障害が発生した収納投出部から一括収納部に変更するため、使用停止状態となることなく、継続使用できる。
【図面の簡単な説明】
【００２７】
【図１】本発明の一実施の形態を示す硬貨入出金機の内部構造を示す側面図である。
【図２】同上硬貨入出金機のブロック図である。
【発明を実施するための形態】
【００２８】
以下、本発明の一実施の形態を、図面を参照して説明する。
【００２９】
図１に示すように、硬貨入出金機11は、機体12を有し、この機体12の上部前側（図１左側）には、硬貨を入金する入金口、および硬貨を出金する出金口として機能する取引口13が形成されている。この取引口13には、図示しないシャッタが開閉可能に配置されている。
【００３０】
取引口13の下側には、硬貨を受け入れて貯留する受皿14が形成されている。この受皿14には、機体12外から取引口13に投入される入金硬貨などの硬貨を受け入れたり、機体12内から取引口13に払い出される出金硬貨や返却硬貨などの硬貨を受け入れる。この受皿14では、底面の一部が開閉可能で、その開放により硬貨を下方へ放出可能としている。
【００３１】
また、機体12内の上部側には、硬貨を１枚ずつ分離した状態で搬送する搬送部17が配設されている。搬送部17は、硬貨を案内する通路部材、およびこの通路部材に沿って硬貨を搬送する搬送ベルトなどを備えている。この搬送部17には、機体12の前後方向に設けられる第１の搬送部18、この第１の搬送部18の上方位置で前後方向に設けられる第２の搬送部19、これら第１の搬送部18と第２の搬送部19との後端間を接続する第３の搬送部20が設けられている。第２の搬送部19の前端は、取引口13に接続され、第２の搬送部19の前端に搬送した硬貨を受皿14に放出可能とする。ここで、第２の搬送部19から第３の搬送部20および第１の搬送部18へ向けて硬貨を搬送する方向を入金搬送方向F1と呼び、逆に、第１の搬送部18から第３の搬送部20および第２の搬送部19へ向けて硬貨を搬送する方向を出金搬送方向F2と呼ぶ。
【００３２】
第１の搬送部18の前端に繰出部21が接続され、第１の搬送部18の繰出部21より後側および第２の搬送部19に複数の収納投出部22〜27が接続され、第２の搬送部19の収納投出部22，23より前側に一時保留部28が接続されている。複数の収納投出部22〜27のうち、例えば、収納投出部22には１０セント硬貨、収納投出部23には１セント硬貨、収納投出部24には５セント硬貨、収納投出部25には２５セント硬貨の金種がそれぞれ割り当てられ、収納投出部26，27には金種がそれぞれ割り当てられていない。
【００３３】
繰出部21、各収納投出部22〜27および一時保留部28は、例えば、傾斜状に配置される回転円盤とこの回転円盤の表面との間に硬貨を収納するホッパとを備えている。繰出部21、各収納投出部22〜27および一時保留部28には、搬送部17内を搬送する硬貨のうち、該当する硬貨を搬送部17から繰出部21、各収納投出部22〜27および一時保留部28にそれぞれ振り分けて収納させる振分機構29を備えているとともに、繰出部21、各収納投出部22〜27および一時保留部28に収納している硬貨を１枚ずつ搬送部17に繰り出す繰出機構30を備えている。そして、振分機構29は、例えば、振分部材をソレノイドの駆動によって搬送部17に対して進退移動させることにより、搬送部17内を搬送する硬貨を繰出部21、各収納投出部22〜27および一時保留部28にそれぞれ振り分けたり、搬送部17の搬送方向下流側に通過させる。また、繰出機構30は、例えば、回転円盤をモータによって回転させ、回転円盤の表面に設けた突起で硬貨を１枚ずつ掬い上げ、この回転円盤で掬い上げた硬貨を繰出用円盤で搬送部17に繰り出す。なお、振分機構29および繰出機構30の構成は、このような構成に限定されるものではなく、他の構成を用いてもよい。
【００３４】
第２の搬送部19の収納投出部22と一時保留部28との間に、搬送する硬貨の少なくとも金種、真偽、正損などを識別する識別部31が配設されている。
【００３５】
繰出部21は受皿14の下方に位置し、受皿14と繰出部21との間に受皿14から放出される硬貨を繰出部21に導くシュート32が設けられている。繰出部21では、入金硬貨と一緒に投入された異物を排出し、機体12の前面に設けられた返却口33へ返却可能とする。
【００３６】
また、機体12内の下部には、収納投出部22〜27に収納しきれないオーバーフロー硬貨を収納する一括収納部としてのオーバーフロースタッカ36が配置されているとともに、補充硬貨や回収硬貨を収納する一括収納部としての硬貨カセット37が配置されている。オーバーフロースタッカ36と硬貨カセット37との間には、これらオーバーフロースタッカ36および硬貨カセット37から繰り出される硬貨を上方の一時保留部28に搬送する搬送機構38が配置されている。
【００３７】
オーバーフロースタッカ36には、硬貨を搬送機構38に繰り出すベルト39、および受皿14内の取り忘れ硬貨を回収する回収カセット40が配設されている。硬貨カセット37には、硬貨を搬送機構38に繰り出すベルト41、およびリジェクト硬貨を回収するリジェクトボックス42が配設されている。
【００３８】
第１の搬送部18には、オーバーフロー硬貨をオーバーフロースタッカ36に分岐する分岐部43、取り忘れ硬貨を回収カセット40に分岐する分岐部44、リジェクト硬貨をリジェクトボックス42に分岐する分岐部45、および回収硬貨を硬貨カセット37に分岐する分岐部46が設けられている。
【００３９】
なお、オーバーフロースタッカ36および硬貨カセット37は、複数金種の硬貨を一括して収納するとともに一括収納した硬貨を繰り出して搬送部17に織り込み可能とする一括収納部として機能している。
【００４０】
また、図２に示すように、硬貨入出金機11は、この硬貨入出金機11を制御する制御部51を備えている。この制御部51には、識別部31、硬貨入出金機11内で硬貨を検知する各箇所に配置された複数のセンサを含むセンサ群52、金種の割り当てなどを含む各種データを記憶する記憶部53が接続されている。この制御部51により、搬送部17、繰出部21、収納投出部22〜27、一時保留部28、オーバーフロースタッカ36、硬貨カセット37、搬送機構38をそれぞれ駆動するモータやソレノイドなどを制御するとともに、報知事項を硬貨入出金機11が組み込まれる装置の表示部や装置に接続される上位端末に報知する報知部54を制御する。
【００４１】
そして、制御部51は、金種が割り当てられた収納投出部22〜25に障害が発生したことを検知する障害検知部55の機能、金種が割り当てられた収納投出部22〜25のうち、ある金種の収納投出部で障害の発生したことを障害検知部55で検知した場合、その障害該当金種の割り当てを障害が発生した収納投出部から別の収納投出部に変更する機能を有している。
【００４２】
障害検知部55は、例えば、収納投出部22〜25の振分機構29や繰出機構30に硬貨が噛み込んで、硬貨の収納や投出ができなくなった場合に、センサなどで、振分機構29の振分部材が切り換わらないことを検知したり、繰出機構30の回転円盤が回転しないことを検知したり、繰出機構30の回転円盤が回転していても硬貨が搬送部17に投出されないことを検知したり、噛み込んだ硬貨自体を検知することにより、障害が発生したと検知する。
【００４３】
ある金種の収納投出部で障害が発生した場合、その障害該当金種の割り当てを障害が発生した収納投出部から別の収納投出部に変更する機能としては、次の第１ないし第３の変更機能などが含まれる。
【００４４】
第１の変更機能では、ある金種の収納投出部で障害が発生した場合、その障害該当金種の割り当てを障害が発生した収納投出部から金種が割り当てられていない収納投出部26，27に変更する。
【００４５】
第２の変更機能では、ある金種の収納投出部で障害が発生した場合、使用頻度の少ない金種の収納投出部に収納されている硬貨を例えば硬貨カセット37に回収させてその収納投出部を空状態とし、障害該当金種の割り当てを障害が発生した収納投出部から空状態とした収納投出部に変更する。
【００４６】
第３の変更機能では、ある金種の収納投出部で障害が発生した場合、その障害該当金種の割り当てを障害が発生した収納投出部から既に別の金種が割り当てられている収納投出部に追加するように変更する機能。
【００４７】
また、制御部51は、ある金種の収納投出部で障害が発生した場合、障害該当金種の硬貨の補充が必要であることを報知部で報知させる機能か、オーバーフロースタッカ36あるいは硬貨カセット37から硬貨を繰り出して搬送部17に送り込み、搬送部17で搬送する硬貨のうち障害該当金種の硬貨をその障害該当金種を割り当てた収納投出部に補充させる機能を有している。
【００４８】
さらに、制御部51は、出金する金種の硬貨が収納されている収納投出部で障害が発生した場合、他の金種の硬貨で代替出金可能であれば、他の金種の収納投出部から硬貨を投出させる機能を有している。
【００４９】
次に、硬貨入出金機11の動作を説明する。
【００５０】
まず、硬貨入出金機11の正常時の処理動作について説明する。
【００５１】
入金処理時には、取引口13のシャッタを開き、取引口13から投入される硬貨を受皿14に受け入れ、取引口13のシャッタを閉じた後、受皿14内の硬貨を下方の繰出部21に放出する。
【００５２】
繰出部21内の硬貨を、搬送部17に繰り出し、搬送部17で出金搬送方向F2へ向けて搬送し、識別部31で識別する。正規と識別された硬貨は、搬送部17から一時保留部28に振り分けて保留する。正規と識別されなかった硬貨は、搬送部17から受皿14へ送り込み、取引口13のシャッタの開放により受皿14から取出可能とする。
【００５３】
取引口13に投入された全ての硬貨の保留または返却までの処理が完了した後、入金が承認されれば、一時保留部28内の硬貨を収納投出部22〜25に収納し、また、キャンセルされれば、一時保留部28内の硬貨を返却する。
【００５４】
すなわち、入金が承認された場合には、一時保留部28内の硬貨を、搬送部17に繰り出し、搬送部17で入金搬送方向F1へ向けて搬送し、識別部31で識別し、識別結果に基づいて該当する金種の収納投出部22〜25に振り分けて収納する。収納投出部22〜25が満杯となった金種の硬貨は、収納投出部22〜25に収納せず、搬送部17から分岐部43で分岐してオーバーフロースタッカ36に収納する。
【００５５】
キャンセルされた場合には、一時保留部28内の硬貨を、搬送部17に繰り出し、搬送部17で入金搬送方向F1に搬送し、繰出部21に収納する。一時保留部28内の全ての硬貨を繰出部21に移動させた後、繰出部21内の硬貨を、搬送部17に繰り出し、搬送部17で出金搬送方向F2へ向けて搬送し、搬送部17から受皿14に送り込む。取引口13のシャッタの開放により、受皿14内から硬貨を取出可能とする。受皿14から硬貨が取り出されれば、取引口13のシャッタを閉じた後、受皿14に硬貨が残留していないかセンサで確認する。硬貨の残留を検知すると、取引口13のシャッタを開放し、受皿14から硬貨を取出可能とする。
【００５６】
また、出金処理時には、出金する金種の収納投出部22〜25内の硬貨を、搬送部17に投出し、搬送部17で出金搬送方向F2に搬送し、識別部31で識別する。正規と識別された硬貨は、搬送部17から受皿14に送り込み、また、正規と識別されなかった硬貨は、搬送部17から一時保留部28に振り分けて保留する。
【００５７】
正規と識別されなかった硬貨が一時保留部28に送り込まれた場合には、収納投出部22〜25からの硬貨の繰り出しを完了し、出金分の硬貨が受皿14に送り込まれた後、一時保留部28内の硬貨を、搬送部17に繰り出し、搬送部17で入金搬送方向F1に搬送し、識別部31で識別し、再識別によって正規と識別された硬貨は該当する収納投出部22〜25に収納し、再識別でも正規と識別されなかった硬貨は搬送部17の分岐部45で分岐してリジェクトボックス42に収納する。
【００５８】
出金分の硬貨を受皿14に送り込んだら、取引口13のシャッタの開放により、受皿14から硬貨を取出可能とする。
【００５９】
取引口13のシャッタを開放してから所定時間経過しても、受皿14上に硬貨を残留していることをセンサで検知している場合には、取り忘れ硬貨であると判断し、その取り忘れ硬貨を回収する。すなわち、取引口13のシャッタを閉じた後、受皿14内の取り忘れ硬貨を下方の繰出部21に放出する。繰出部21内の取り忘れ硬貨を、搬送部17に繰り出し、搬送部17で出金搬送方向F2へ向けて搬送し、識別部31で識別した後に一時保留部28に一時保留し、この取り忘れ硬貨の金種および枚数を確認した後、一時保留部28から搬送部17へ硬貨を繰り出し、搬送部17の分岐部44で分岐して回収カセット40に収納する。
【００６０】
また、補充処理時には、オーバーフロースタッカ36または硬貨カセット37に収納されている硬貨を、搬送機構38に繰り出し、搬送機構38で一時保留部28に搬送する。一時保留部28内の硬貨を、搬送部17に投出し、搬送部17で入金搬送方向F1へ向けて搬送し、識別部31で識別し、識別結果に基づいて該当する金種の収納投出部22〜25に振り分けて収納する。収納投出部22〜25が満杯となった金種の硬貨は、収納投出部22〜25に収納せず、搬送部17から分岐部43で分岐してオーバーフロースタッカ36に収納する。
【００６１】
なお、例えば、障害発生金種などの特定の金種の硬貨を補充する場合などには、補充する硬貨を、取引口13から投入することにより、入金処理時と同様の硬貨の処理流れによって、収納投出部22〜25に補充することができる。
【００６２】
次に、硬貨入出金機11の各処理時において、金種が割り当てられた収納投出部22〜25のうち、ある金種の収納投出部で障害が発生した場合について説明する。
【００６３】
硬貨入出金機11の各処理時において、金種が割り当てられた収納投出部22〜25のうち、例えば、２５セントが割り当てられた収納投出部25で、硬貨を収納したり投出することができないといった障害が発生したことを障害検知部55で検知したとする。
【００６４】
制御部51は、金種の割り当ての変更機能により、その障害該当金種である２５セントの金種の割り当てを、障害が発生した収納投出部25から別の収納投出部に変更し、硬貨入出金機11が使用停止状態となることなく、継続使用できるようにする。
【００６５】
例えば、制御部51の第１の変更機能では、２５セントの金種の割り当てを、障害が発生した収納投出部25から、金種が割り当てられていない収納投出部26または収納投出部27に変更する。
【００６６】
この場合、入金処理時や補充処理時であれば、搬送部17内を搬送する２５セント硬貨を、障害が発生した収納投出部25ではなく、割り当てを変更した収納投出部26または収納投出部27に振り分けて収納し、入金処理や補充処理を終了する。その後の入金処理や補充処理においても、２５セント硬貨を収納投出部26または収納投出部27に振り分けて収納する。
【００６７】
出金処理時であれば、２５セント分を代替出金するのに必要な他の金種と枚数を算出し、他の金種の収納投出部22〜24から代替出金分の硬貨を投出し、出金処理を終了する。その後の出金処理では、入金処理や補充処理によって収納投出部26または収納投出部27に２５セント硬貨が収納されていれば、収納投出部26または収納投出部27内の２５セント硬貨を投出する。収納投出部26または収納投出部27に２５セント硬貨が収納されていなければ、他の金種で代替出金する。
【００６８】
これにより、硬貨入出金機11は、各処理時に、ある金種の収納投出部に障害が発生しても、使用停止状態となることなく、継続使用できる。
【００６９】
また、制御部51の第２の変更機能では、使用頻度の少ない金種として、例えば５セント用の収納投出部24に収納されている硬貨をオーバーフロースタッカ36または硬貨カセット37に回収させてその収納投出部24を空状態とし、２５セントの割り当てを、障害が発生した収納投出部25から、空状態とした収納投出部24に変更する。なお、使用頻度の少ない金種としては、５セントに限らず、使用場所に応じて他の金種が選定されてもよい。
【００７０】
収納投出部24内の硬貨をオーバーフロースタッカ36または硬貨カセット37に移動させるには、収納投出部24内の硬貨を、搬送部17に投出し、搬送部17で出金搬送方向F2に搬送し、搬送部17から一時保留部28に振り分けて保留する。収納投出部24内の全ての硬貨を一時保留部28に移動させたら、一時保留部28内の硬貨を、搬送部17に繰り出し、搬送部17で入金搬送方向F1に搬送し、搬送部17の分岐部43または分岐部46で分岐してオーバーフロースタッカ36または硬貨カセット37に収納する。
【００７１】
この場合、入金処理時や補充処理時であれば、まず、搬送部17内を搬送する２５セント硬貨を、障害が発生した収納投出部25ではなく、割り当てを変更した収納投出部24に振り分けて収納するか、搬送部17の分岐部43または分岐部46で分岐してオーバーフロースタッカ36または硬貨カセット37に収納し、入金処理や補充処理を終了する。また、搬送部17内を搬送する硬貨に５セント硬貨が含まれていた場合には、搬送部17の分岐部43または分岐部46で分岐してオーバーフロースタッカ36または硬貨カセット37に収納し、入金処理や補充処理を終了する。入金処理や補充処理の終了後、上述したように、収納投出部24内の５セント硬貨をオーバーフロースタッカ36または硬貨カセット37に移す。その後の入金処理や補充処理においては、２５セント硬貨を収納投出部24に振り分けて収納し、５セント硬貨をオーバーフロースタッカ36または硬貨カセット37に収納する。
【００７２】
出金処理時であれば、２５セント分を代替出金するのに必要な他の金種と枚数を算出し、他の金種の収納投出部22，23から代替出金分の硬貨を投出し、出金処理を終了する。出金処理の終了後、上述したように、収納投出部24内の５セント硬貨をオーバーフロースタッカ36または硬貨カセット37に移す。その後の出金処理では、入金処理や補充処理によって収納投出部24に２５セント硬貨が収納されていれば、収納投出部24内の２５セント硬貨を投出可能とする。収納投出部24に２５セント硬貨が収納されていなければ、他の金種で代替出金する。また、５セント硬貨についても、他の金種で代替出金する。
【００７３】
これにより、硬貨入出金機11は、各処理時に、ある金種の収納投出部に障害が発生しても、使用停止状態となることなく、継続使用できる。
【００７４】
また、制御部51の第３の変更機能では、２５セントの割り当てを、障害が発生した収納投出部25から、例えば、既に別の金種として５セントが割り当てられている収納投出部24に追加するように変更する。
【００７５】
この場合、入金処理時や補充処理時であれば、搬送部17内を搬送する２５セント硬貨を、障害が発生した収納投出部25ではなく、割り当てを変更した収納投出部24に振り分け、５セント硬貨とともに混合収納し、入金処理や補充処理を終了する。その後の入金処理や補充処理においては、２５セント硬貨および５セント硬貨を収納投出部24に収納する。
【００７６】
出金処理時であれば、２５セント分を代替出金するのに必要な他の金種と枚数を算出し、他の金種の収納投出部22〜24から代替出金分の硬貨を投出し、出金処理を終了する。その後の出金処理では、出金する硬貨に５セント硬貨と２５セント硬貨の一方または両方が含まれている場合、入金処理や補充処理によって収納投出部24に５セント硬貨とともに２５セント硬貨が混合収納されていれば、収納投出部24内の硬貨を投出する。また、収納投出部24に２５セント硬貨が収納されていなければ、他の金種で代替出金する。
【００７７】
５セント硬貨と２５セント硬貨とが混合収納された収納投出部24から出金に必要な硬貨のみを出金するには、収納投出部24内の硬貨を、搬送部17に投出し、搬送部17で出金搬送方向F2に搬送し、識別部31で識別する。識別の結果、出金に必要な５セント硬貨または２５セント硬貨は搬送部17から受皿14に送り込み、出金に必要のない５セント硬貨または２５セント硬貨は搬送部17から一時保留部28に振り分けて収納する。出金分の硬貨を搬送部17から受皿14に送り込んだ後、一時保留部28内の硬貨を、搬送部17に投出し、搬送部17で入金搬送方向F1に搬送し、搬送部17から元の収納投出部24に振り分けて収納する。
【００７８】
これにより、硬貨入出金機11は、各処理時に、ある金種の収納投出部に障害が発生しても、使用停止状態となることなく、継続使用できる。
【００７９】
なお、これら第１ないし第３の変更機能は、いずれか１つの変更機能が予め選択されて設定されており、その設定された変更機能を実行する。
【００８０】
また、上述のように、あの金種の収納投出部で障害が発生し、各変更機能によって障害該当金種の割り当てを別の収納投出部に変更した場合に、障害該当金種の硬貨の補充が必要であることを報知部54で硬貨入出金機11が組み込まれる装置の表示部や装置に接続される上位端末に報知する。
【００８１】
その報知により、オペレータは、障害が発生したことおよび障害該当金種の硬貨の補充が必要であることを認識し、障害該当金種の硬貨の硬貨入出金機11内に補充し、出金処理に備えることができる。障害該当金種の硬貨の補充は、例えば、障害該当金種の硬貨を、取引口13から投入することにより、入金処理時と同様の硬貨の処理流れによって、金種の割り付けが変更された収納投出部に補充することができる。
【００８２】
また、上述のように、ある金種の収納投出部で障害が発生し、各変更機能によって障害該当金種の割り当てを別の収納投出部に変更した場合に、障害該当金種の硬貨を自動補充することもできる。
【００８３】
この障害該当金種の硬貨を自動補充するには、オーバーフロースタッカ36または硬貨カセット37内の硬貨を、搬送機構38に繰り出し、搬送機構38で一時保留部28に搬送する。一時保留部28に搬送した硬貨を、搬送部17に投出し、搬送部17で入金搬送方向F1へ向けて搬送し、識別部31で識別し、識別結果に基づいて該当する金種の収納投出部に振り分けて収納する。
【００８４】
オーバーフロースタッカ36または硬貨カセット37内から送り出された硬貨の中に、障害該当金種の硬貨が含まれていれば、金種の割り付けが変更された収納投出部に自動補充することができる。
【００８５】
このように、硬貨入出金機11によれば、ある金種の収納投出部で障害が発生した場合、その障害該当金種の割り当てを障害が発生した収納投出部から別の収納投出部に変更するため、使用停止状態となることなく、継続使用できる。
【００８６】
また、硬貨入出金機11のある金種の収納投出部に発生した障害は、障害復旧作業によって復旧する。この障害復旧作業に関しては、障害が発生しても、硬貨入出金機11が使用停止状態となることなく、継続使用できるために、任意の時間帯に行うことができる。例えば、営業や業務の時間外、使用頻度の低い時間帯などに行うことができ、硬貨入出金機11の使用停止に伴う影響を少なくできる。
【００８７】
なお、本実施の形態の硬貨入出金機11では、収納投出部26，27に金種を割り付けていない例を示したが、硬貨の種類の多い国の場合には、収納投出部26，27にも金種が割り付けられる。このように、収納投出部26，27の両方にも金種が割り付けられた場合には、金種の割り当てを変更する変更機能のうち、第１の変更機能は無効となり、第２または第３の変更機能で対応することになる。
【００８８】
また、全ての収納投出部22〜27に金種が割り付けられている場合などには、入金処理時において、ある金種の収納投出部で障害が発生すれば、その障害該当金種の割り当てを繰出部21に変更してもよい。
【００８９】
すなわち、入金処理時においては、取引口13から投入された硬貨を、繰出部21に受け入れ、この繰出部21から搬送部17に繰り出し、搬送部17で出金搬送方向F2へ向けて搬送し、識別部31で識別する。正規と識別された硬貨は、搬送部17から一時保留部28に振り分けて保留する。入金が承認された場合には、一時保留部28に保留した硬貨を、一時保留部28から搬送部17に繰り出し、搬送部17で入金搬送方向F1へ向けて搬送し、識別部31で識別し、識別結果に基づいて該当する金種の収納投出部22〜25に振り分けて収納する。この際、ある金種の収納投出部で障害が発生すれば、その障害該当金種の割り当てを繰出部21に変更する。そのため、障害該当金種の硬貨は、障害が発生した収納投出部ではなく、繰出部21に収納し、入金処理を終了する。その後、繰出部21内の硬貨を、搬送部17に繰り出し、搬送部の分岐部43または分岐部46でオーバーフロースタッカ36または硬貨カセット37に収納する。また、その後の出金処理では、障害該当金種の硬貨の分を、他の金種の硬貨で代替出金する。
【００９０】
また、全ての収納投出部22〜27に金種が割り付けられている場合などには、ある金種の収納投出部で障害が発生すれば、その障害該当金種の割り当てをオーバーフロースタッカ36に変更してもよい。
【００９１】
すなわち、入金処理時や出金処理時において、ある金種の収納投出部で障害が発生した場合、その障害該当金種の割り当てをオーバーフロースタッカ36に変更し、障害該当金種の硬貨をオーバーフロースタッカ36に収納し、各処理を終了する。また、出金処理時において、ある金種の収納投出部で障害が発生した場合、その障害該当金種の硬貨の分を、他の金種の硬貨で代替出金し、出金処理を終了する。
【００９２】
そして、処理終了後、オーバーフロースタッカ36内の硬貨を、搬送機構38に繰り出し、一時保留部28および搬送部17を経て硬貨カセット37に移し、オーバーフロースタッカ36内を空状態とする。その後の入金処理や補充処理によって、障害該当金種の硬貨をオーバーフロースタッカ36に収納する。
【００９３】
障害該当金種の硬貨の出金時には、オーバーフロースタッカ36内の硬貨を、搬送機構38に繰り出し、一時保留部28および搬送部17を経て繰出部21に送り込む。出金分の硬貨を繰出部21に送り込んだら、繰出部21内の硬貨を、搬送部17に繰り出し、搬送部17から受皿14に送り込み、出金する。
【００９４】
なお、本実施の形態の硬貨入出金機11では、入出金する硬貨を確認するために硬貨を一時保留する一時保留部28を設けていたが、入金の承認を確認する必要がない場合には、一時保留部28を設けなくてもよい。
【００９５】
この一時保留部28を設けない硬貨入出金機11の場合には、例えば、図１において、繰出部21の位置を一時保留部28の位置に変更し、また、取引口13は入金口と出金口とに分け、入金口を変更後の繰出部21の上方に配置し、出金口を第２の搬送部19の前端が接続されるように配置すればよい。そして、入金処理時においては、入金口から繰出部21に受け入れ、繰出部21内の硬貨を、搬送部17に繰り出し、搬送部で入金搬送方向F1に搬送し、識別部31で識別した後に、搬送部17で入金搬送方向F1へ向けて搬送し、識別部31で識別し、識別結果に基づいて該当する金種の収納投出部22〜27に振り分けて収納する。また、出金処理時においては、出金する金種の収納投出部22〜27内の硬貨を、搬送部17に投出し、搬送部17で出金搬送方向F2に搬送し、識別部31で識別する。正規と識別された硬貨を搬送部17から出金口に払い出し、正規と識別されなかった硬貨を繰出部21に振り分けて保留する。出金分の硬貨の出金が完了した後、正規と識別されなかった硬貨が繰出部21に送り込まれた場合には、繰出部21内の硬貨を、搬送部17に繰り出し、搬送部で入金搬送方向F1に搬送し、搬送部17の分岐部45で分岐してリジェクトボックス42に収納する。
【００９６】
このように一時保留部28を設けない硬貨入出金機11においても、ある金種の収納投出部で障害が発生した場合、その障害該当金種の割り当てを障害が発生した収納投出部から別の収納投出部に変更することにより、使用停止状態となることなく、継続使用できる。
【産業上の利用可能性】
【００９７】
本発明は、金融機関などにおいては窓口や金融店舗内外に設置されるＡＴＭ（Automatic Tellers Machine）などの硬貨入出金機として利用され、店舗などにおいてはレジなどの硬貨入出金機として利用される。
【符号の説明】
【００９８】
11    硬貨入出金機
17    搬送部
21    繰出部
22〜27    収納投出部
28    一時保留部
31    識別部
36    一括収納部としてのオーバーフロースタッカ
37    一括収納部としての硬貨カセット
51    制御部
54    報知部
55    障害検知部
【図１】
2010181918.tif 000003
【図２】
2010181918.tif 000004